【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
ビデオシーケンスのＧＯＰを表すピクチャの符号化されたグループを復号し（ＢＳＢＵＦ，ＤＥＣ，ＦＲＢＵＦ，ＰＲＳ，ＢＳＩＮＤＢ，ＣＴＲＬ）、前記ビデオシーケンスおよび前記ＧＯＰを一時的に逆方向にプレゼンテーションまたは表示する（ＦＲＢＵＦ，ＶＤＤ）方法であって、
各ＧＯＰは他のピクチャの予測に使用されるアンカピクチャと、他のピクチャの予測には使用されない散在している非アンカピクチャとを包含し、
前記ＧＯＰのうちの現在のＧＯＰの復号を該現在のＧＯＰの始めからの該現在のＧＯＰのアンカピクチャ（Ｉ，Ｐ，Ｂｓ）の復号でもって開始するが、該現在のＧＯＰの全てのピクチャのプレゼンテーションまたは表示を該現在のＧＯＰの終わりからの該現在のＧＯＰのピクチャ（Ｐ，Ｂ，ＢＳ，Ｉ）のプレゼンテーションまたは表示でもって開始し、該現在のＧＯＰの始めまで継続し、
前記非アンカピクチャを、記憶されている復号された前記アンカピクチャのうちの相応の隣接するアンカピクチャを使用してビットストリームバッファ（ＢＳＢＵＦ）からオンザフライで復号する形式のビデオシーケンスのＧＯＰを表すピクチャの符号化されたグループを復号し、
−最初のＧＯＰの最後に復号されたアンカピクチャのグループのみを、ＧＯＰ毎のアンカピクチャ（Ｉ，Ｐ，Ｂｓ）の総数よりも少ない数の専用のピクチャバッファ（ＦＲＢＵＦ）に最初に記憶し、最初に記憶されている前記復号されたアンカピクチャと、相応の前記散在している非アンカピクチャとを使用して前記現在のＧＯＰのプレゼンテーションまたは表示を開始する、ビデオシーケンスおよびＧＯＰを一時的に逆方向にプレゼンテーションまたは表示する方法において、
ＧＯＰ表示時間において前記現在のＧＯＰの開始から前記最後に復号されたアンカピクチャのグループまでの時限の半分またはほぼ半分の位置に配置されており且つＧＯＰの全くの始めからではなく該アンカピクチャの位置からの復号の再開を容易にする、前記現在のＧＯＰの前記復号されたアンカピクチャのうちの特定のアンカピクチャを中間的に専用のピクチャバッファ（５）に記憶するステップと、
−前記現在のＧＯＰの始めに達するまで、前記専用のピクチャバッファに中間的に記憶されている復号されたアンカピクチャの残りのうちの１つと、相応の前記散在している非アンカピクチャとを使用して、前記現在のＧＯＰの残りのピクチャのプレゼンテーションまたは表示を継続し、前記現在のＧＯＰの前記復号されたアンカピクチャの少なくとも２つのプレゼンテーションまたは表示を少なくとも１回繰り返し、復号処理時間を前記現在のＧＯＰの前記最後に復号されたアンカピクチャのグループには属さない前記現在のＧＯＰのアンカピクチャの反復的な復号に使用し、現在のＧＯＰの前記プレゼンテーションまたは表示を、該プレゼンテーションまたは表示が終了したときに、プレゼンテーションまたは表示すべき後続のＧＯＰのための相応の復号されたアンカピクチャが再び前記専用のピクチャバッファ（ＦＲＢＵＦ）に記憶されているように実施するステップを包含することを特徴とする、ビデオシーケンスのＧＯＰを表すピクチャの符号化されたグループを復号し、ビデオシーケンスおよびＧＯＰを一時的に逆方向にプレゼンテーションまたは表示する方法。
【請求項２】
逆方向のプレゼンテーションまたは表示の間に、前記特定のアンカピクチャ自体が評価された場合には、別の特定のアンカピクチャを専用のピクチャバッファ（５）に記憶し、該別の特定のアンカピクチャを、既にプレゼンテーションまたは表示されている前記現在のＧＯＰのピクチャを除いて、ＧＯＰの開始から現在バッファされているアンカピクチャまでの表示時間の半分またはほぼ半分の位置に配置する、請求項１記載の方法。
【請求項３】
前記ビデオシーケンスは、ＭＰＥＧ−４−ＡＶＣ  Ｂ記憶ピクチャであるアンカピクチャを包含する、請求項１または２記載の方法。
【請求項４】
ビデオシーケンスのＧＯＰを表すピクチャの符号化されたグループを復号し、前記ビデオシーケンスおよび前記ＧＯＰを一時的に逆方向にプレゼンテーションまたは表示する（ＶＤＤ）装置であって、
各ＧＯＰは他のピクチャの予測に使用されるアンカピクチャと、他のピクチャの予測には使用されない散在している非アンカピクチャとを包含し、
前記ＧＯＰのうちの現在のＧＯＰの復号は該現在のＧＯＰの始めからの該現在のＧＯＰのアンカピクチャ（Ｉ，Ｐ，Ｂｓ）の復号でもって開始されるが、該現在のＧＯＰの全てのピクチャのプレゼンテーションまたは表示が該現在のＧＯＰの終わりからの該現在のＧＯＰのピクチャ（Ｐ，Ｂ，ＢＳ，Ｉ）のプレゼンテーションまたは表示でもって開始され、該現在のＧＯＰの始めまで継続され、
前記非アンカピクチャは、記憶されている復号された前記アンカピクチャのうちの相応の隣接するアンカピクチャを使用してビットストリームバッファ（ＢＳＢＵＦ）からオンザフライで復号される形式のビデオシーケンスのＧＯＰを表すピクチャの符号化されたグループを復号し、ビデオシーケンスおよびＧＯＰを一時的に逆方向にプレゼンテーションまたは表示する装置において、
最初のＧＯＰの最後に復号されたアンカピクチャのグループのみを、ＧＯＰ毎のアンカピクチャ（Ｉ，Ｐ，Ｂｓ）の総数よりも少ない数の専用のピクチャバッファ（ＦＲＢＵＦ）に最初に記憶し、最初に記憶されている前記復号されたアンカピクチャと、相応の前記散在している非アンカピクチャとを使用して前記現在のＧＯＰのプレゼンテーションまたは表示を開始し、ＧＯＰ表示時間において前記現在のＧＯＰの開始から前記最後に復号されたアンカピクチャのグループまでの時限の半分またはほぼ半分の位置に配置されており且つＧＯＰの全くの始めからではなく該アンカピクチャの位置からの復号の再開を容易にする、前記現在のＧＯＰの前記復号されたアンカピクチャのうちの特定のアンカピクチャを中間的に専用のピクチャバッファ（５）に記憶し、
前記現在のＧＯＰの始めに達するまで、前記専用のピクチャバッファに中間的に記憶されている復号されたアンカピクチャの残りのうちの１つと、相応の前記散在している非アンカピクチャとを使用して、前記現在のＧＯＰの残りのピクチャのプレゼンテーションまたは表示を継続し、前記現在のＧＯＰの前記復号されたアンカピクチャの少なくとも２つのプレゼンテーションまたは表示を少なくとも１回繰り返し、復号処理時間を前記現在のＧＯＰの前記最後に復号されたアンカピクチャのグループには属さない前記現在のＧＯＰのアンカピクチャの反復的な復号に使用し、現在のＧＯＰの前記プレゼンテーションまたは表示を、該プレゼンテーションまたは表示が終了したときに、プレゼンテーションまたは表示すべき後続のＧＯＰのための相応の復号されたアンカピクチャが再び前記専用のピクチャバッファ（ＦＲＢＵＦ）に記憶されているように実施することに適した手段（ＢＳＢＵＦ，ＤＥＣ，ＰＲＳ，ＢＳＩＮＤＢ，ＣＴＲＬ）を包含することを特徴とする、ビデオシーケンスのＧＯＰを表すピクチャの符号化されたグループを復号し、ビデオシーケンスおよびＧＯＰを一時的に逆方向にプレゼンテーションまたは表示する装置。
【請求項５】
逆方向のプレゼンテーションまたは表示の間に、前記特定のアンカピクチャ自体が評価された場合には、別の特定のアンカピクチャが専用のピクチャバッファ（５）に記憶され、該別の特定のアンカピクチャは、既にプレゼンテーションまたは表示されている前記現在のＧＯＰのピクチャを除いて、ＧＯＰの開始から現在バッファされているアンカピクチャまでの表示時間の半分またはほぼ半分の位置に配置されている、請求項４記載の装置。
【請求項６】
前記ビデオシーケンスは、ＭＰＥＧ−４−ＡＶＣ  Ｂ記憶ピクチャであるアンカピクチャを包含する、請求項４または５記載の装置。